(57)【要約】【課題】  本発明は、流通過程で振動が加わっても、収納した商品が位置ずれしない商品包装箱を提供することを課題とする。【解決手段】  本発明の商品包装箱１は、収納室２９に通じ且つ底面２１の対向側に開口された出し入れ口２８とこれを閉塞する蓋フラップ４とを有する箱本体２と、収納室２９内に入れられる中子体３と、を備え、中子体３が、商品９１を保持する保持板部３１と、保持板部３１の一方端に設けられ且つ出し入れ口２８を閉塞した蓋フラップ４に接する第１端部８１と、保持板部３１の他方端に設けられ且つ箱本体２の底面２１に接する第２端部８２と、を有し、保持板部３１がシート片から形成され、保持板部３１が第１端部８１及び第２端部８２を介して蓋フラップ４及び底面２１を外側に押し出すように付勢した状態で、中子体３が収納室２９内に入れられている。【選択図】  図２
2011126543.tif 000002
【特許請求の範囲】
【請求項１】
収納室に通じ且つ底面の対向側に開口された出し入れ口と前記出し入れ口を閉塞する蓋フラップとを有する箱本体と、前記収納室内に入れられる中子体と、を備え、
前記中子体が、商品を保持する保持板部と、前記保持板部の一方端に設けられ且つ前記出し入れ口を閉塞した蓋フラップに接する第１端部と、前記保持板部の他方端に設けられ且つ前記箱本体の底面に接する第２端部と、を有し、
前記保持板部がシート片から形成され、前記保持板部が第１端部及び第２端部を介して前記蓋フラップ及び前記底面を外側に押し出すように付勢した状態で、前記中子体が収納室内に入れられていることを特徴とする商品包装箱。
【請求項２】
前記保持板部が、箱本体の前壁側に膨らんだ湾曲状のシート片を含み、
前記蓋フラップを出し入れ口から外した状態において、前記シート片の復元力によって、前記保持板部の第１端部が前記出し入れ口から外側に突出する請求項１に記載の商品包装箱。
【請求項３】
請求項１又は２に記載の商品包装箱と、柔軟なモップ本体を有するハンディモップと、を備え、
前記モップ本体が、係止手段を介して、前記商品包装箱の保持板部の面内に係止されていることを特徴とするハンディモップ包装体。
【発明の詳細な説明】
【技術分野】
【０００１】
本発明は、商品を収納する商品包装箱に関し、特に、ハンディモップのような柔らかい商品を位置ずれしないように収納できる商品包装箱などに関する。
【背景技術】
【０００２】
従来、室内や車内などの埃を除去するための清掃具が知られており、その中で、個人が手軽に清掃できる清掃具として、特許文献１に記載のようなハンディモップが公知である。
該ハンディモップは、ゴミや埃を付着させるための柔らかいモップ本体と、それを取り付けるための把手（柄）と、を備えている（特許文献１）。
かかるハンディモップは、通常、中空直方体状に組み立てた包装箱（いわゆるキャラメル箱）、又は、凹部が形成された透明な成形カバーと前記成形カバーの凹部に対応する開口を閉塞する台紙とからなるブリスター包装ケースに入れられて販売されている。
【０００３】
しかしながら、前記包装箱内や成形カバー内にハンディモップが入れられたハンディモップ包装体は、その流通過程の振動によって、ハンディモップが内部で動くため、収納位置がずれるという問題点がある。また、中子体にハンディモップを保持し、この中子体を包装箱内に入れても、その流通過程で中子体が揺れ動くため、ハンディモップの保持位置がずれてしまう。特に、ハンディモップのモップ本体は、繊維や不織布などの柔軟素材から形成されているので、搬送中にモップ本体が動いて包装箱の内面に当たると、モップ本体が圧縮される。このため、モップ本体の柔らかい感じ（ふわふわした感じ）が損われ、見た目の商品価値が低下する。
【先行技術文献】
【特許文献】
【０００４】
【特許文献１】特開２００５−２３０５７６号公報
【発明の概要】
【発明が解決しようとする課題】
【０００５】
本発明の目的は、流通過程で振動が加わっても、収納した商品が位置ずれしない商品包装箱を提供することであり、併せて、ハンディモップのモップ本体を柔らかい感じのままで収納できるハンディモップ包装体を提供することである。
【課題を解決するための手段】
【０００６】
本発明の商品包装箱は、収納室に通じ且つ底面の対向側に開口された出し入れ口と前記出し入れ口を閉塞する蓋フラップとを有する箱本体と、前記収納室内に入れられる中子体と、を備え、前記中子体が、商品を保持する保持板部と、前記保持板部の一方端に設けられ且つ前記出し入れ口を閉塞した蓋フラップに接する第１端部と、前記保持板部の他方端に設けられ且つ前記箱本体の底面に接する第２端部と、を有し、前記保持板部がシート片から形成され、前記保持板部が第１端部及び第２端部を介して前記蓋フラップ及び前記底面を外側に押し出すように付勢した状態で、前記中子体が収納室内に入れられている。
【０００７】
上記商品包装箱は、商品を保持する中子体の保持板部が第１端部及び第２端部を介して蓋フラップ及び底面を外側に押し出すように付勢した状態で、中子体が収納室内に入れられている。従って、保持板部が蓋フラップと底面の間で突張っているので、流通過程で振動が加わっても、保持板部が収納室内で揺れ動かない。このため、保持板部に保持した商品が位置ずれを起こさない。
【０００８】
本発明の好ましい商品包装箱は、前記保持板部が、箱本体の前壁側に膨らんだ湾曲状のシート片を含み、前記蓋フラップを出し入れ口から外した状態において、前記シート片の復元力によって、前記保持板部の第１端部が前記出し入れ口から外側に突出するように構成されている。
【０００９】
上記好ましい商品包装箱は、蓋フラップを外したときに、保持板部の第１端部が出し入れ口から外側に突出するので、この第１端部を把持して、商品と共に保持板部（中子体）を収納室内から容易に取り出すことができる。
【００１０】
本発明の別の局面では、ハンディモップ包装体が提供される。
このハンディモップ包装体は、上記何れかの商品包装箱と、ゴミを付着するための柔軟なモップ本体を有するハンディモップと、を備え、前記モップ本体が、係止手段を介して、前記商品包装箱の保持板部の面内に係止されている。
【００１１】
上記ハンディモップ包装体は、上記保持板部の面内にモップ本体が係止されている。保持板部は、上述のように、蓋フラップと底面の間で突張っているので、収納室内で揺れ動かず、モップ本体が、保持板部から外れて位置ずれしたり、或いは、包装箱の内面に当たって圧縮したりすることを防止できる。
【発明の効果】
【００１２】
本発明の商品包装箱は、流通過程で振動が加わっても、収納した商品が位置ずれすることがない。
また、本発明のハンディモップ包装体は、収納されたモップ本体が柔らかい感じのままで流通過程に供されるので、ハンディモップの見た目の商品価値が低下することを防止できる。
【図面の簡単な説明】
【００１３】
【図１】１つの実施形態に係るハンディモップを入れた商品包装箱（ハンディモップ包装体）を前壁側から見た斜視図。
【図２】図１のＩＩ−ＩＩ線で切断した断面図。
【図３】同ハンディモップ包装体の分解斜視図。
【図４】モップ本体と柄を取り付けた状態の中子体の斜視図。
【図５】蓋フラップを出し入れ口から外した状態のハンディモップ包装体の正面図。
【図６】図５のＶＩ−ＶＩ線断面図。
【発明を実施するための形態】
【００１４】
以下、本発明の好ましい一実施形態について、図面を参照しつつ具体的に説明する。
図１〜図３に於いて、１０は、本発明のハンディモップ包装体を示す。ハンディモップ包装体１０は、箱本体２と中子体３を備える商品包装箱１と、ハンディモップ９と、を備え、中子体３にハンディモップ９を保持した状態で中子体３が箱本体２の収納室２９内に入れられている。
【００１５】
本発明の商品包装箱１は、収納室２９を有する箱本体２と、商品を保持した状態で前記収納室２９内に入れられる中子体３と、を有する。
箱本体２は、底面２１と前記底面２１の周縁に立設された筒状の周壁面と前記底面２１の対向側に開口された出し入れ口２８とを有する有底筒状部分と、前記周壁面の上縁の一部分に連設された蓋フラップ４と、を有する。
前記底面２１と周壁面によって形成される有底筒状部分の内部空間が、商品及び中子体３を収納するための収納室２９となっている。前記周壁面の形状は、四角筒状、三角筒状、六角筒状などの多角筒状でもよいし、略円筒状（楕円筒状を含む）でもよい。一般的には、図示したように、周壁面は略四角筒状（好ましくは長方形筒状）に形成され、これに対応して底面２１及び出し入れ口２８は何れも平面視略四角状に形成されている。
蓋フラップ４は、出し入れ口２８を閉塞する片であり、出し入れ口２８に対して開閉自在である。
【００１６】
より具体的には、箱本体２は、シート材を組み立てることによって形成されている。
上記箱本体２を形成するシート材は、特に限定されず、従来公知のものを用いることができる。該シート材としては、厚紙、合成紙、ポリプロピレン、ポリエチレンなどのポリオレフィン系、ポリエチレンテレフタレートなどの合成樹脂製シート、及びこれらの積層シート、並びにこれらの複合シート（例えば、厚紙の一部分に窓部を形成し、この窓部に合成樹脂シートを付けた複合シートなど）が挙げられる。本実施形態では、箱本体２は、厚紙の一部分に窓部２６を形成し、この窓部２６に合成樹脂シート２７を取り付けた複合シートを用いて形成されている。
シート材の厚みは、特に限定されない。シート材として厚紙を用いる場合には、厚み０．８ｍｍ〜１．５ｍｍ程度の厚紙を例示できる。シート材として合成樹脂製シートを用いる場合には、０．２ｍｍ〜１．０ｍｍ程度のシートを例示できる。
箱本体２は、所定形状に形成された複数枚のシート材の適宜箇所を貼り合わせた接合シート材を組み立てることによって形成されていてもよいし、所定形状に形成された１枚のシート材を組み立てることによって形成されていてもよい。
【００１７】
箱本体２は、平面視略四角状の底面２１と、前記底面２１の４つの縁（辺）に連設されて略直角状に立ち上げられた前壁２２、後壁２３及び左右側壁２４，２４（つまり、四角筒状の周壁面）と、前壁２２の上縁に一体的に連設された蓋フラップ４と、を有する。
底面２１は、前壁２２、後壁２３及び左右側壁２４，２４の各下縁にそれぞれ延設された分割片を組み合わせることによって、形成されている。
なお、本明細書において、底面とは、蓋フラップと対向する側の壁面を意味し、必ずしも商品包装箱を載置するとき下になる面（載置面上に接する面）を意味するわけではない。
【００１８】
左右側壁２４，２４の各上方前側縁２４ａ，２４ａは、それぞれ弧状に切り欠かれている。前壁２２の上方部は、前記弧状の上方前側縁２４ａ，２４ａにおいて左右側壁２４，２４と切り離されているが、蓋フラップ４で出し入れ口２８を塞いだときには、前壁２２の上方部は左右側壁２４，２４の前記上方前側縁２４ａ，２４ａに沿って湾曲し且つこの前側縁２４ａ，２４ａに略接する。さらに、左右側壁２４，２４の上縁には、補助フラップ片５，５がそれぞれ延設されている。この左右一対の補助フラップ片５，５は、内側に折り曲げ可能である。左右の補助フラップ片５，５の先端部には、互いに噛み合わせることができる切り目５１，５１がそれぞれ形成されている。前記左右の補助フラップ片５，５を左右側壁２４，２４の内面に対してそれぞれ略直角状に折り曲げることにより、左右一対の補助フラップ片５，５は、後壁２３（厳密には、後述するヘッダー片６を形成するための、折り返した延設片６１の先端部）との間に僅かな隙間を有した状態で、出し入れ口２８に横設される。
【００１９】
前壁２２の面内の略中央領域には、窓部２６が開口され且つこの窓部２６を塞ぐように透明な合成樹脂製シート２７が貼付されている。従って、箱本体２の収納室２９内は、この前壁２２の窓部２６の透明シート２７を通じて透視できる。図１、図３及び図５においては、透明シート２７を通じて収納室２９内を透視した状態で表している。
後壁２３の上縁には、ヘッダー片６が延設されている。このヘッダー片６は、後壁２３の上縁を上方に延設した延設片６１を折り返すことによって形成されている。すなわち、ヘッダー片６は、前記延設片６１を後壁２３に接するように折り返し、且つ後壁２３の延設片６１の先端部を収納室２９内に挿入することによって形成されている。このヘッダー片６の面内には、吊下げ用孔６２が穿設されている。
上記前壁２２、後壁２３及び左右側壁２４，２４の各上縁によって区画される内側開口が出し入れ口２８であり、該出し入れ口２８は、平面視略矩形状である。
【００２０】
蓋フラップ４は、前壁２２の上縁に沿って形成された第５折り罫線７５を介して、前壁２２の上縁に一体的に延設されている。蓋フラップ４は、出し入れ口２８と略同面積の矩形状であり、蓋フラップ４の先端縁には、第６折り罫線７６を介して係入片部４１が一体的に延設されている。
この係入片部４１は、上記補助フラップ片５，５と後壁２３との間の僅かな隙間に入れられる。この係入片部４１を前記隙間に係入することにより、蓋フラップ４が、出し入れ口２８から不用意に外れない。
ただし、上記補助フラップ片５，５は、左右一対設けられていなければならないわけではなく、左右側壁２４，２４の何れか一方の上縁に、所望形状に形成された補助フラップ片が延設されていてもよい。また、本発明の包装箱は、上記補助フラップ片５，５を有さなくてもよい。補助フラップ片５，５が無くても、係入片部４１を後壁２３に沿わして挿入することにより、出し入れ口２８を塞いだ蓋フラップ４を固定できる。また、出し入れ口２８を塞いだ蓋フラップ４を、粘着テープなどの止着手段を用いて、固定してもよい。この場合には、上記係入片部４１を省略することもできる。
【００２１】
上記箱本体２には、通常、窓部２６の透明シート２７を除いて、所望のデザインが印刷されている。もっとも、箱本体２の全体が透明な合成樹脂製シートで形成されている場合、この箱本体２に、必要に応じて、所望のデザインを印刷したり、或いは、デザイン台紙を差し込むなどして、デザインを表示してもよい。
【００２２】
次に、中子体３は、箱本体２と同様に、シート材を組み立てることによって形成されている。中子体３を形成するシート材は、特に限定されず、厚紙、合成紙、ポリプロピレン、ポリエチレンなどのポリオレフィン系、ポリエチレンテレフタレートなどの合成樹脂製シート、及びこれらの積層シートなどが挙げられ、比較的復元力が強いことから、合成樹脂製シート、厚紙、又は両者の積層シートを用いることが好ましい。例えば、厚み０．８ｍｍ〜１．５ｍｍ程度の厚紙や、厚み０．２ｍｍ〜１．０ｍｍ程度の合成樹脂製シートを用いることができる。
【００２３】
中子体３は、図４にも示すように、シート片から形成され且つ商品の一部品（例えば、ハンディモップ９のモップ本体９１）を保持する保持板部３１と、シート片から形成され且つ商品の他の部品（例えば、ハンディモップ９の柄９２）を保持する副保持板部３２と、を備えている。中子体３の幅（副保持板部３２が設けられている本実施形態では、保持板部３１の幅と副保持板部３２の幅の合算）は、前壁２２の幅（左右側壁２４，２４間の長さ）と略同じである。
【００２４】
保持板部３１は、矩形状のシート片の略中央部を箱本体２の前壁２２側に湾曲状に膨らませた湾曲シート片から形成されている。この湾曲状の保持板部３１は、例えば、力を加えて平坦状のシート片を曲げた湾曲シート片からなる。もっとも、湾曲状の保持板部４１は、成形によって湾曲状に形成された湾曲シート片（例えば、合成樹脂成形品など）を用いてもよい。
保持板部３１の湾曲度合いは特に限定されないが、余りに小さな曲率半径であると、保持板部３１の表面と前壁２２の内面との間の間隙が小さくなり過ぎて、保持板部３１の表面に保持されるモップ本体９１（商品）が、前壁２２に押し潰されるので好ましくない。従って、保持板部３１の湾曲度合いは、その表面に保持されるモップ本体９１（商品）が前壁２２に僅かに接するか或いは前壁２２に接しない程度の曲率半径となるように設定されていることが好ましい。
【００２５】
この湾曲状の保持板部３１の長さは、箱本体２の高さ（底面２１から出し入れ口２８（底面２１の内面から側壁２４の上縁）までの長さ）よりも長い。すなわち、保持板部３１は、押さえ付けられていないフリーな状態において、箱本体２の高さよりも長い。例えば、フリーな状態における前記保持板部３１は、箱本体２の高さよりも１ｃｍ〜３ｃｍほど長いことが好ましい。
一方、シート片からなる湾曲状の保持板部３１は、その上下方向から押さえ付けられることにより（加荷重時）、板バネの如く更に湾曲し、その結果、加荷重時の保持板部３１の長さは、フリーな状態に比して短くなる。
【００２６】
保持板部３１の一方端（上端縁）には、シート片が第１折り罫線７１を介して延設されている。この延設されたシート片が第１端部８１に相当する。前記第１端部８１は、保持板部３１と略同幅であることが好ましい。
この第１端部８１は、第１折り罫線７１において保持板部３１の表面に対して鋭角に折り曲げ可能である。第１端部８１は、折り曲げられた状態において、図２に示すように、その後端縁８１ａ（保持板部３１に連設された部分であって、第１折り罫線７１に対応する部分）が箱本体２の後壁２３（折り返したヘッダー片６が形成されている本実施形態では、厳密には、延設片６１の表面）に当接し、且つその先端縁８１ｂが箱本体２の前壁２２に当接している。このように第１端部８１の両端縁８１ａ，８１ｂが後壁２３及び前壁２２にそれぞれ接し、平板状の第１端部８１が両壁２２，２３間に介在することによって、保持板部３１の上方部分が、前後方向に位置ずれすることがない。このような第１端部８１は、例えば、箱本体２の左右側壁２４，２４の上縁と略同じ長さの略矩形状のシート片を、保持板部３１の一方端から延設することによって形成できる。
【００２７】
保持板部３１の他方端（下端縁）には、シート片が第２折り罫線７２を介して延設されている。この延設されたシート片が第２端部８２に相当する。前記第２端部８２は、保持板部３１と略同幅であることが好ましい。
この第２端部８２は、第２折り罫線７２において保持板部３１の表面に対して鋭角に折り曲げ可能である。第２端部８２は、折り曲げられた状態において、図２に示すように、その後端縁８２ａ（保持板部３１に連設された部分であって、第２折り罫線７２に対応する部分）が箱本体２の後壁２３に当接し、且つその先端縁８２ｂが箱本体２の前壁２２に当接している。このように第２端部８２の両端縁８２ａ，８２ｂが後壁２３及び前壁２２にそれぞれ接し、平板状の第２端部８２が両壁２２，２３間に介在することによって、保持板部３１の下方部分が、前後方向に位置ずれすることがない。このような第２端部８２は、例えば、箱本体２の左右側壁２４，２４の下縁と略同じ長さの略矩形状のシート片を、保持板部３１の他方端から延設することによって形成できる。
【００２８】
なお、中子体３を箱本体２の収納室２９内に入れ且つ蓋フラップ４を閉じたときには、折り曲げられた第２端部８２の裏面が箱本体２の底面２１に接し、且つ折り曲げられた第１端部８１の裏面が蓋フラップ４の内面に接する。
【００２９】
また、保持板部３１の面内には、商品の一部品（モップ本体９１）を係止するための複数の係止部３１１（係止手段）が形成されている。保持板部３１の面内の上下所定位置に略Ｕ字状の切り目を形成し、この切り目で囲われた部分を起立させることによって、前記係止部３１１は形成されている。モップ本体９１の裏面に形成された小袋部（図示せず）に前記係止部３１１を係入することによって、モップ本体９１が保持板部３１の表面に取付られる。取り付けられたモップ本体９１は、図示したように、モップ本体９１の表面が保持板部３１の表面に沿って拡がっている。従って、モップ本体９１の表面に存在する柔軟素材（繊維、不織布など）が柔らかい感じを有したまま、モップ本体９１は保持板部３１に保持されている。
【００３０】
副保持板部３２は、矩形平板状のシート片からなる。この平板状の副保持板部３２の長さは、箱本体２の高さ（底面２１から出し入れ口２８までの長さ）とほぼ等しい。具体的には、副保持板部３２の長さは、収納する商品によって適宜設定されるが、ハンディモップ９を収納する場合には、例えば、１５ｃｍ〜２５ｃｍ程度に形成される。
【００３１】
副保持板部３２の一方端（上端）には、副保持板部３２と略同幅で且つ箱本体２の左右側壁２４，２４の上縁と略同じ長さの矩形状のシート片（このシート片を第３端部８３という）が第３折り罫線７３を介して延設されている。この第３端部８３は、第３折り罫線７３において副保持板部３２の表面に対して略直角に折り曲げ可能である。
副保持板部３２の他方端（下端）には、副保持板部３２と略同幅で且つ箱本体２の左右側壁２４，２４の下縁よりも短い矩形状のシート片（このシート片を第４端部８４という）が第４折り罫線７４を介して延設されている。この第４端部８４は、第４折り罫線７４において副保持板部３２の表面に対して略直角に折り曲げ可能である。第４端部８４の一側縁と第２端部８２の一側縁は、両下縁を一致させて、一体化されている。
なお、第４端部８４は第２端部８２よりも短いので、第２端部８２の略中央部に対応する位置に、第４端部８４と副保持板部３２の境界（第４折り罫線７４）が存在している。このような構成によれば、保持板部３１と副保持板部３２の位置がずれるので（本実施形態の場合、副保持板部３２の下方部が、保持板部３１よりも前壁２２側に寄っているので）、各保持板部３１，３２にそれぞれ保持された商品同士が干渉することを防止できる。
【００３２】
中子体３を箱本体２の収納室２９内に入れ且つ蓋フラップ４を閉じたときに、略直角状に折り曲げられた第４端部８４の裏面が箱本体２の底面２１に接し、且つ略直角状に折り曲げられた第３端部８３の裏面が蓋フラップ４の内面に接する。
【００３３】
なお、副保持板部３２の面内には、商品の他の部品（柄９２）を係止するための複数の係止部３２１（係止手段）が形成されている。副保持板部３２の面内の上下所定位置に略Ｕ字状の切り目を形成し、この切り目で囲われた部分を起立させることによって、前記係止部３２１は形成されている。柄９２の上下部を前記係止部３２１にそれぞれ係入することによって、ハンディモップ９の柄９２が副保持板部３２の表面に取り付られる。
【００３４】
上記中子体３の保持板部３１に係止手段を介してモップ本体９１を係止し、且つ、副保持板部３２に係止手段を介して柄９２を係止した後、この商品保持済みの中子体３を箱本体２の出し入れ口２８から収納室２９内に入れる。中子体３を収納室２９内に入れると、折り曲げられた第２端部８２及び第４端部８４の裏面が箱本体２の底面２１に接する。また、第２端部８２の後端縁８２ａは後壁２３の内面に接し且つ第２端部８２の先端縁８２ｂは前壁２２の内面に接する。
この状態では、図５及び図６に示すように、副保持板部３２の全体が、収納室２９内に埋没するが、保持板部３１の上方部分及び折り曲げられた第１端部８１は、箱本体２の出し入れ口２８から外側（上方）に突出している。
【００３５】
次に、左右の補助フラップ片５，５を出し入れ口２８側へ折り曲げる。必要に応じて切り目５１を係合させて左右の補助フラップ片５，５を噛み合わせてもよい。
最後に、蓋フラップ４を第５折り罫線７５において折り曲げて出し入れ口２８を塞ぐと共に、係入片部４１を、補助フラップ片５，５と後壁２３の間の隙間に挿入して、蓋フラップ４を固定する。
蓋フラップ４を折り曲げたとき、蓋フラップ４の内面が上記第１端部８１の裏面に当たり、第１端部８１を介して保持板部３１が押し下げられる。押さえ付けられた保持板部３１は、更に湾曲し、第１端部８１及び第２端部８２を介して蓋フラップ４及び底面２１を外側に押し出すように付勢した状態で、収納室２９内に収められる。同時に、第１端部８１は、その後端縁８１ａが後壁２３の内面に接し且つその先端縁８１ｂが前壁２２の内面に接した状態で、収納室２９内に収められる（図２参照）。
【００３６】
上記ハンディモップ包装体１０及び商品包装箱１は、保持板部３１が蓋フラップ４と底面２１の間で突張っているので、流通過程で振動が加わったり或いは販売場所において消費者が手にとって振ったりしても、保持板部３１のみが収納室２９内で揺れ動かない。よって、保持板部３１に保持したモップ本体９１が位置ずれを起こさない。
また、本実施形態では、保持板部３１の両端に連設された第１端部８１及び第２端部８２が、箱本体２の後壁２３及び前壁２２に接して存在しているので、保持板部３１の前後方向における揺れを確実に防止できる。
通常、本発明のように、蓋フラップ４及び底面２１を外側に押し出すように付勢した状態で保持板部３１が設けられていると、保持板部３１が、恰も突張り棒のように、蓋フラップ４と底面２１の間に介在するため、上下方向だけでなく、前後方向に保持板部３１が揺れることを防止できるが、上下方向に比して前後方向の揺れ防止は劣っているかもしれない。この点、上記のような態様の第１端部８１及び第２端部８２を設けることにより、前後方向における保持板部３１の揺れをも確実に防止できる。
【００３７】
本発明のハンディモップ包装体１０及び商品包装箱１によれば、収納したモップ本体９１（商品）が位置ずれしない上、モップ本体９１が箱本体２の内面に当たって圧縮されることもない。従って、モップ本体９１が柔らかい感じのままで流通過程に供し、見た目の商品価値が低下することを防止できる。
【００３８】
他方、蓋フラップ４を外した後には、図５及び図６に示すように、保持板部３１の復元力によって、中子体３の保持板部３１の第１端部８１が出し入れ口２８から外側に突出する。このため、第１端部８１を摘み易く、中子体３を収納室２９内から容易に引き出すことができる。
【００３９】
なお、上記実施形態では、保持板部３１に保持する商品として、ハンディモップ９のモップ本体９１を例示したが、本発明の商品包装箱１の保持板部３１は、モップ本体９１以外の商品を保持してもよい。
例えば、保持板部３１に、モップ本体以外の柔軟素材からなる商品（例えば、ハンカチ、下着などの柔軟素材からなる商品）を保持してもよいし、或いは、化粧品入り容器、医薬品入り容器、菓子入り容器などの比較的硬質素材からなる商品を保持してもよい。
【産業上の利用可能性】
【００４０】
本発明の商品包装箱は、ハンディモップなどの商品を収納する包装箱として使用できる。
【符号の説明】
【００４１】
１…商品包装箱、２…箱本体２、２１…底面、２２…前壁、２３…後壁、２４…左右側壁、２８…出し入れ口、２９…収納室、３…中子体、３１…保持板部、３２…副保持板部、３１１…係止手段、４…蓋フラップ、９…ハンディモップ、９１…モップ本体、９２…柄、１０…ハンディモップ包装体
【図１】
2011126543.tif 000003
【図２】
2011126543.tif 000004
【図３】
2011126543.tif 000005
【図４】
2011126543.tif 000006
【図５】
2011126543.tif 000007
【図６】
2011126543.tif 000008